【手続補正書】
【提出日】平成21年3月5日(2009.3.5)
【手続補正１】
【補正対象書類名】特許請求の範囲
【補正対象項目名】請求項１
【補正方法】変更
【補正の内容】
【請求項１】
１以上の加工電極部位を有する電極の各加工電極部位の位置、および、該電極を用いてワークを加工する１以上の加工位置を入力する入力手段と、
電極を用いてワークを加工するための複数の種類の加工工程に対して、前記各加工位置において所定の形状にワークを加工するために必要な各種類の加工工程の加工回数を登録する加工工程登録手段と、
前記電極の各加工電極部位に対して、前記複数の種類の加工工程のうちのいずれの種類の加工工程の加工を行う役割を持つ部位であるかを登録する役割登録手段と、
前記加工工程はその種類に応じて予め実施される順番が決められるものであり、前記加工工程の種類と該加工工程の前記登録された回数とに応じて、各加工位置において前記所定の形状に加工するための加工工程を実施する順に並べた延べ加工工程を全て加工位置について求め、全ての延べ加工工程の各加工工程に該加工工程の加工を行う役割を持つ前記加工電極部位を割り当てる加工電極部位割当手段と、
該加工電極部位割当手段により割り当てられた加工電極部位を用いて、各加工位置で前記延べ加工工程の順に従って前記ワークを前記形状に加工するためのＮＣデータを生成するＮＣデータ生成手段とを備えたことを特徴とする加工データ生成装置。
【手続補正２】
【補正対象書類名】特許請求の範囲
【補正対象項目名】請求項５
【補正方法】変更
【補正の内容】
【請求項５】
コンピュータを、
１以上の加工電極部位を有する電極の各加工電極部位の位置、および、該電極を用いてワークを加工する１以上の加工位置を入力する入力手段と、
電極を用いてワークを加工するための複数の種類の加工工程に対して、前記各加工位置において所定の形状にワークを加工するために必要な各種類の加工工程の加工回数を登録する加工工程登録手段と、
前記電極の各加工電極部位に対して、前記複数の種類の加工工程のうちのいずれの種類の加工工程の加工を行う役割を持つ部位であるかを登録する役割登録手段と、
前記加工工程はその種類に応じて予め実施される順番が決められるものであり、前記加工工程の種類と該加工工程の前記登録された回数とに応じて、各加工位置において前記所定の形状に加工するための加工工程を実施する順に並べた延べ加工工程を全て加工位置について求め、全ての延べ加工工程の各加工工程に該加工工程の加工を行う役割を持つ前記加工電極部位を割り当てる加工電極部位割当手段と、
該加工電極部位割当手段により割り当てられた加工電極部位を用いて、各加工位置で前記延べ加工工程の順に従って前記ワークを前記形状に加工するためのＮＣデータを生成するＮＣデータ生成手段として機能させるプログラム。
【手続補正３】
【補正対象書類名】明細書
【補正対象項目名】０００８
【補正方法】変更
【補正の内容】
【０００８】
また、経費節減のために、仕上げ加工に使った電極を２回目以降は荒加工に使用するようにして同じ電極を複数回使用したり、１つの電極に複数の加工部位を設けて加工をする方法が提案されているが、従来のＣＡＭでは、このような電極を使用して加工を行うＮＣプログラムを自動作成することができなかった。
【手続補正４】
【補正対象書類名】明細書
【補正対象項目名】００１０
【補正方法】変更
【補正の内容】
【００１０】
本発明の加工データ生成装置は、１以上の加工電極部位を有する電極の各加工電極部位の位置、および、該電極を用いてワークを加工する１以上の加工位置を入力する入力手段と、
電極を用いてワークを加工するための複数の種類の加工工程に対して、前記各加工位置において所定の形状にワークを加工するために必要な各種類の加工工程の加工回数を登録する加工工程登録手段と、
前記電極の各加工電極部位に対して、前記複数の種類の加工工程のうちのいずれの種類の加工工程の加工を行う役割を持つ部位であるかを登録する役割登録手段と、
前記加工工程はその種類に応じて予め実施される順番が決められるものであり、前記加工工程の種類と該加工工程の前記登録された回数とに応じて、各加工位置において前記所定の形状に加工するための加工工程を実施する順に並べた延べ加工工程を全て加工位置について求め、全ての延べ加工工程の各加工工程に該加工工程の加工を行う役割を持つ前記加工電極部位を割り当てる加工電極部位割当手段と、
該加工電極部位割当手段により割り当てられた加工電極部位を用いて、各加工位置で前記延べ加工工程の順に従って前記ワークを前記形状に加工するためのＮＣデータを生成するＮＣデータ生成手段とを備えたことを特徴とするものである。
【手続補正５】
【補正対象書類名】明細書
【補正対象項目名】００１１
【補正方法】変更
【補正の内容】
【００１１】
また、本発明のプログラムは、コンピュータを、
１以上の加工電極部位を有する電極の各加工電極部位の位置、および、該電極を用いてワークを加工する１以上の加工位置を入力する入力手段と、
電極を用いてワークを加工するための複数の種類の加工工程に対して、前記各加工位置において所定の形状にワークを加工するために必要な各種類の加工工程の加工回数を登録する加工工程登録手段と、
前記電極の各加工電極部位に対して、前記複数の種類の加工工程のうちのいずれの種類の加工工程の加工を行う役割を持つ部位であるかを登録する役割登録手段と、
前記加工工程はその種類に応じて予め実施される順番が決められるものであり、前記加工工程の種類と該加工工程の前記登録された回数とに応じて、各加工位置において前記所定の形状に加工するための加工工程を実施する順に並べた延べ加工工程を全て加工位置について求め、全ての延べ加工工程の各加工工程に該加工工程の加工を行う役割を持つ前記加工電極部位を割り当てる加工電極部位割当手段と、
該加工電極部位割当手段により割り当てられた加工電極部位を用いて、各加工位置で前記延べ加工工程の順に従って前記ワークを前記形状に加工するためのＮＣデータを生成するＮＣデータ生成手段として機能させるものである。
【手続補正６】
【補正対象書類名】明細書
【補正対象項目名】００２６
【補正方法】変更
【補正の内容】
【００２６】
電極にはワークを加工する部位（加工電極部位）が設けられ、放電加工する際には、この加工電極部位をワークに触れないが非常に近い位置となるように近づけて、電極とワークとの間で短い周期で放電を繰り返してワークの表面の一部を除去しながら加工が行われる。また、電極に設けられた加工電極部位は１つとは限らず、複数の加工電極部位が設けられるものもある。
【手続補正７】
【補正対象書類名】明細書
【補正対象項目名】００４９
【補正方法】変更
【補正の内容】
【００４９】
以上、詳細に説明したように、電極に備えている複数の加工電極部位の加工工程の役割と、各加工位置で加工に必要な加工工程を登録するだけで、最も効率のよい加工順番でワークを加工するＮＣデータを出力することが可能である。
【手続補正８】
【補正対象書類名】図面
【補正対象項目名】図３
【補正方法】変更
【補正の内容】
【図３】
2007313608.tif 000001
【手続補正９】
【補正対象書類名】図面
【補正対象項目名】図４
【補正方法】変更
【補正の内容】
【図４】
2007313608.tif 000002
【手続補正１０】
【補正対象書類名】図面
【補正対象項目名】図１３ｂ
【補正方法】変更
【補正の内容】
【図１３ｂ】
2007313608.tif 000003
【手続補正１１】
【補正対象書類名】図面
【補正対象項目名】図２３
【補正方法】変更
【補正の内容】
【図２３】
2007313608.tif 000004
【手続補正１２】
【補正対象書類名】図面
【補正対象項目名】図２４
【補正方法】変更
【補正の内容】
【図２４】
2007313608.tif 000005